(57)【要約】【課題】長時間保管しても反りや変形を生じないように光ディスクを収納する光ディスク収納ケースを提供する。【解決手段】光ディスク１を収納するケース本体５と、このケース本体５を蓋をする蓋体６とを有する光ディスク収納ケース４において、光ディスク１のセンターホールと同心円状に形成されている凸状のスタックリブ３に対応するケース本体５位置に凸状のスタックリブ３を嵌合させる円形状の凹部５Ａを形成して光ディスク収納ケースを実現した。【選択図】      図２
2006327613.tif 000002
【特許請求の範囲】
【請求項１】
ポリ乳酸をディスク基板に用いた光ディスクを収納するケース本体と、このケース本体を蓋をする蓋体とを有する光ディスク収納ケースにおいて、
前記光ディスクのセンターホールと同心円状に形成されている凸状のスタックリブに対応する前記ケース本体位置に前記凸状のスタックリブを嵌合させる円形状の凹部を形成したことを特徴とする光ディスク収納ケース。
【請求項２】
前記ケース本体上に塑性変形層を形成したことを特徴とする請求項１記載の光ディスク収納ケース。
【発明の詳細な説明】
【技術分野】
【０００１】
本発明は、光ディスクの収納ケースに係り、特に、基板に植物を原料としたプラスチックであるポリ乳酸をディスク基板に用いた環境配慮型の光ディスク収納ケースに関する。
【背景技術】
【０００２】
近年、石油化学工業の発展とプラスチック合成、加工技術の進歩に伴い、種々なプラスチック製品が大量に生産され、これに伴って使用済みのプラスチック製品を産業廃棄物や一般廃棄物として排出される廃プラスチックの量も、急速に増加してきた。例えば平成１４年の我が国における廃プラスチックの量は年間１０００万トン近くになるに至った。更に、この廃プラスチックの量の増加傾向は続いており、廃プラスチックの処分問題は深刻化しつつある。
現在、このような廃プラスチックの６０％前後は単純焼却や埋立によって処分されている。しかしながら、燃焼熱カロリーの高い廃プラスチックを通常のゴミ焼却場で焼却処分すると、異常燃焼し、焼却炉の炉体等を傷めるという問題がある。そして、廃プラスチックを単純焼却することで、大気中に放出される炭酸ガスが増加し、地球温暖化という観点からも問題がある。
【０００３】
さらに、廃プラスチックを埋立によって処分する場合には、廃プラスチックは軽くてかさばるため、廃棄物の中でも大きな容積を占め、埋め立て地などの廃棄物最終処分場の用地不足が切迫化してきた現在、将来に亘ってこのような処分方法を続けることは困難である。
このようにプラスチックの廃棄物処理という地球環境の観点からも、また化石資源（原油）の枯渇という地球資源の観点から、植物を原料としたプラスチックや酸素や微生物で分解される生分解性プラスチックの研究開発が盛んに行われるようになってきた。
【０００４】
中でもトウモロコシなどのでんぷんを原料としたポリ乳酸は、生分解性を有するとともに、再生可能資源である植物由来の環境低負荷樹脂であることから、特に注目されている。
【０００５】
例えば、生ごみ袋、食品容器、包装容器、包装フィルムなど、耐熱性や耐衝撃性などが厳しく要求されない機能的に単純な用途適用され始めている。また、最近においては、自動車の内装部品や電子機器・ＯＡ機器の筐体などの高度な機能が必要な分野、用途も採用され始めている。
【０００６】
一方、大容量の情報を記録できるコンパクトディスク（ＣＤ）やディジタルバーサタイルディスク（ＤＶＤ）などの光ディスクの普及はめざましいものがある。特に、音楽や映像、データベース、コンピュータプログラムなどの情報を微細な凹凸パターン（いわゆるピット）として記録された基板の上にアルミニウムなどの金属反射層と保護層を順次積層した再生専用型光ディスクは、大量に安価に製造できるため膨大な数のディスクが製造され、広く普及している。さらに、追記記録ができるＣＤ−Ｒは、再生専用型光ディスク（ＣＤ−ＲＯＭ）以上に生産され、消費され始めた。
【０００７】
また、ＤＶＤ−Ｒや書き換え可能なＣＤ−ＲＷやＤＶＤ−ＲＷ、ＤＶＤ−ＲＡＭなどのディスクも急速に普及し始め、全世界で２００億枚以上が生産され、さらに今後もその生産量は増加していくと考えられる。これに伴い、不要になって廃棄される光ディスクの数量も飛躍的に増え始め、地球環境に及ぼす影響は大きくなりつつある。
このため、地球環境に与える負荷を低減すると共に、枯渇性化石（石油）資源を節減するという観点からも上記光ディスクの基板に毎年再生可能な植物を原料として合成された植物由来のプラスチックであるポリ乳酸を用いることは好ましいことであり、光ディスクの基板にポリ乳酸を適用するための検討がされ始めている。このポリ乳酸は、ガラス転移温度が６０℃前後であり、０．４５ＧＰａ低荷重たわみ温度（ＤＴＵＬ）が５５℃〜５８℃と低いため、耐熱性が乏しいという性質を有している。
【０００８】
ところで、光ディスクを使用しない場合には、通常、光ディスク収納ケースに収納しておくのが通例である。この光ディスク収納ケースとしては、特許文献１に示すように、光ディスクよりも若干大きい径の円形状の凹部を有したケース本体と、このケース本体のセンターに形成された光ディスクのセンターホールが嵌合する凸部と、このケース本体に蓋をする蓋体と、を備えたものがある。
【特許文献１】特開平１１−５９７６１号公報
【発明の開示】
【発明が解決しようとする課題】
【０００９】
しかしながら、ポリ乳酸をディスク基板に用いた光ディスクを光ディスク収納ケースに収納保管して、船舶、航空機、トラックなどの輸送時や倉庫保管時を想定した比較的高温の環境下において、長時間晒すと光ディスクに反りや変形を生じるといった問題があった。これは、図６に示すように、光ディスク１がケース本体５の中央部に形成されている突起部１２に光ディスクのセンターホール２を嵌合させて、光ディスク収納ケースに光ディスク１を収納させるため、長時間保持している間に突起部で保持されていない光ディスク１部分が下方に変形を生じるためである。
【００１０】
そこで、本発明は、前述の課題に鑑みて提案されるものであって、長時間保管しても反りや変形を生じないように光ディスクを収納する光ディスク収納ケースを提供することを目的とする。
【課題を解決するための手段】
【００１１】
本願発明における第１の発明は、ポリ乳酸をディスク基板に用いた光ディスクを収納するケース本体と、このケース本体を蓋をする蓋体とを有する光ディスク収納ケースにおいて、前記光ディスクのセンターホールと同心円状に形成されている凸状のスタックリブに対応する前記ケース本体位置に前記凸状のスタックリブを嵌合させる円形状の凹部を形成したことを特徴とする光ディスク収納ケースを提供する。
第２の発明は、前記ケース本体上に塑性変形層を形成したことを特徴とする請求項１記載の光ディスク収納ケースを提供する。
【発明の効果】
【００１２】
本発明によれば、光ディスクのセンターホールと同心円状に形成されている凸状のスタックリブに対応するケース本体位置に前記凸状のスタックリブを嵌合させる円形状の凹部を形成したので、長時間保管しても反りや変形を生じないように光ディスクを収納することができる。
【発明を実施するための最良の形態】
【００１３】
以下、本発明に係る光ディスクの収納ケースの実施の形態について、図１乃至図５を参照して詳細に説明する。
図１は、一般的な光ディスクを示す図である。
図２は、第１実施例の光ディスク収納ケースを示す図である。
図３は、第２実施例の光ディスク収納ケースを示す図である。
図４は、第３実施例の光ディスク収納ケースを示す図である。
図５は、第４実施例の光ディスク収納ケースを示す図である。
従来と同一構成には同一符号を付す。
（実施例１）
まずは、光ディスクの構造について図１を用いて説明する。
図１（Ａ）、（Ｂ）に示すように、光ディスク１は、基板１の中心に形成されたセンターホール２よりも外側にこのセンターホール２と相似な円形状の凸部したスタックリブ３が形成されている。
図２（Ａ）、（Ｂ）に示すように、本発明に係る光ディスク収納ケース４は、光ディスク１のスタックリブ３が嵌合する凹部５Ａが形成されたケース本体５と、このケース本体５に蓋をする蓋体６とを備えたものである。
【００１４】
この凹部５Ａの溝幅、溝深さをスタックリブ３の大きさよりやや大きめに溝を形成することが望ましい。スタックリブ３と同じ大きさであると光ディスク１を載置しづらくなったり、大きすぎると光ディスク１が動いてしまうのでキズ付き等がつきやすくなるからである。
【００１５】
ケース本体５及び蓋体６の材料としては、船舶、航空機、トラックなどの輸送時や倉庫補間時を想定した比較的高温の環境下において、長時間放置しても平坦性が維持される材料が望ましい。具体的には、ＩＳＯ７５で規定される低荷重下（０．４５ＭＰａ）の加重たわみ温度（ＤＴＵＬ）が８０℃以上、好適には９０℃以上を有するプラスチックが望ましい。このプラスチックとしては、低荷重ＤＴＵＬ８０℃〜１００℃であるポリメチルメタクリレート樹脂（ＰＭＭＡ）やポリスチレン等の熱可塑性プラスチックなどがある。また、ケース本体５及び蓋体６にポリ乳酸を用いても良い。この際、ポリ乳酸としては、不透明となるが、耐熱性を向上させるため結晶化処理されたポリ乳酸を用いることもできる。さらに、紙類を主成分とした素材を用いても良い。
【００１６】
実施例１によれば、ケース本体５の凹部５Ａにスタックリブ３を嵌合させて光ディスク１を収納するので、光ディスク１全体を平坦部で支えるため、長時間保管しても反りや変形を生じないように光ディスク１を収納することができる。
【００１７】
（実施例２）
次に、第２の実施例について図３を用いて説明する。
図３に示すように、第２の実施例の光ディスク収納ケース７は、図２に示す実施例１の光ディスク収納ケース４の蓋体６のケース本体５側に押さえ部材８を設けたものであり、それ以外は同様である。
【００１８】
第２実施例によれば、光ディスク１を光ディスク収納ケース４に収納した時に光ディスク１が密着して形成されるので、反りや変形をより抑えることができる。なお、押え部材８の代わりに蓋体６を用いても良い。
押え部材８としては、スポンジ状の緩衝材や歌詞カード等の紙類を用いることができる。
【００１９】
（実施例３）
次に、第３の実施例について図４を用いて説明する。
図４に示すように、第２の実施例の光ディスク収納ケース９は、図２に示す実施例１の光ディスク収納ケース４のケース本体５に形成された凹部５Ａを凹部６Ａとして蓋体６にも形成したものであり、それ以外は同様である。
【００２０】
第３の実施例によれば、光ディスク１のスタックリブ３の向きを逆にして光ディスク収納ケース４に収納するように反りや変形を抑えることができる。
【００２１】
（実施例４）
次に、第４の実施例について図５を用いて説明する。
図５に示すように、第４の実施例の光ディスク収納ケース１０は、図２に示す実施例１の光ディスク収納ケース４のケース本体５上に塑性変形層１１を形成したものであり、それ以外は同様である。
【００２２】
第４の実施例によれば、ケース本体５に光ディスク１を収納して蓋体６を蓋した際に、光ディスク１と蓋体５との間に硬い異物が混入した場合でも異物が塑性変形層１１側に埋もれ込ますことができるため、光ディスク１に傷が付くことを防止できる。
塑性変形層１１には、光ディスク１の材料よりも柔らかい材料を用いることが必要であり、ガラス転移点が低く、常温で柔らかい材質のもの、ゴム弾性を示す材料が好ましく、例えば、シリコーンゴム樹脂などが好適な材料として用いられる。
【００２３】
次に、実施例１、２光ディスク収納ケースと従来のディスク収納ケースに光ディスク１を収納した後、高温高湿環境下で保存試験を行った。
保存試験は輸送、倉庫補間時の環境条件を考慮して４５℃、相対湿度９０％、放置時間１６８時間の条件下で行った。判定は、市販の光ディスクプレーヤで再生可能か否かで行った。
その結果を表１に示す。表１中の比較例は従来の光ディスク収納ケースに収納した場合である。
【００２４】
【表１】
2006327613.tif 000003
【００２５】
表１に示すように、実施例１、２では、再生可能となったのに対して従来の光ディスク収納ケースに収納されていた光ディスク１は自重方向に反りが生じ再生不可能であった。
【００２６】
以上のように、ポリ乳酸などの植物原料由来のプラスチックを基板として用いた光ディスク１を船舶、航空機、トラックなどの輸送時や倉庫補間時を想定した比較的高温下で長時間放置しても光ディスク１の反りや変形を生じないかまたは小さくできる。
【図面の簡単な説明】
【００２７】
【図１】一般的な光ディスクを示す図である。
【図２】第１実施例の光ディスク収納ケースを示す図である。
【図３】第２実施例の光ディスク収納ケースを示す図である。
【図４】第３実施例の光ディスク収納ケースを示す図である。
【図５】第４実施例の光ディスク収納ケースを示す図である。
【図６】従来の光ディスク収納ケースを示す図である。
【符号の説明】
【００２８】
１…光ディスク、２…センターホール、３…スタックリブ、４、７、９、１０…光ディスク収納ケース、５…ケース本体、５Ａ、６Ａ…凹部、６…蓋体、８…押え部材、１１…塑性変形層
【図１】
2006327613.tif 000004
【図２】
2006327613.tif 000005
【図３】
2006327613.tif 000006
【図４】
2006327613.tif 000007
【図５】
2006327613.tif 000008
【図６】
2006327613.tif 000009